(57)【要約】【課題】乗員に対する側方からの衝突の形態に応じて、乗物用シートが具備するサイドエアバッグ装置の展開を制御することにより、乗員の肩部への衝撃を緩和し、より適切に乗員を保護することを可能にする。【解決手段】着座した乗員Ｐの胸部、腹部、腰部を保護する第一チャンバ５ａの上方に、シートバック３の前後方向に区画して配設された複数の空間５ｂａ，５ｂｂ，５ｂｃからなる乗員Ｐの肩部ＰＳを保護する第二チャンバ５ｂを設けた。第一チャンバ５ａと第二チャンバ５ｂの各空間５ｂａ，５ｂｂ，５ｂｃとは、それぞれ連通孔６ａ，６ｂ，６ｃを介して連通している。そして、各空間５ｂａ，５ｂｂ，５ｂｃのうち、シートバック３の側方から衝撃が加わる位置に応じた空間（例えば、空間５ｂａ）が、それ以外の空間（この場合、５ｂｂ，５ｂｃ）よりも膨張するようにした。【選択図】図３
2015112941.tif 000002
【特許請求の範囲】
【請求項１】
乗物に搭載されるシートにおけるシートバックの乗物外方側に向けた側部に配設され、前記シートバックの側方から外力が加わることに応じて、インフレータから供給される膨張用のガスにより膨張して展開するサイドエアバッグ装置において、
着座した乗員の胸部、腹部、腰部を保護する第一チャンバと、
前記第一チャンバの上方に配置され、前記シートバックの前後方向に区画して配設された複数の空間からなり、前記乗員の肩部を保護する第二チャンバとを備え、
前記第一チャンバと前記第二チャンバの各空間とがそれぞれ連通しており、
前記第ニチャンバの前記複数の空間のうち、前記外力が加わる位置に対応する前記空間が他の空間よりも膨張することを特徴とするサイドエアバッグ装置。
【請求項２】
各前記空間は、それぞれ乗物外方側に向けて開放されたベントホールを有しており、
各前記ベントホールは、対応する位置において前記外力が加わることにより閉塞されることを特徴とする請求項１に記載のサイドエアバッグ装置。
【請求項３】
各前記空間には、前記膨張用のガスが同時に供給されることを特徴とする請求項１または２に記載のサイドエアバッグ装置。
【発明の詳細な説明】
【技術分野】
【０００１】
本発明は、自動車等の車両に搭載されるサイドエアバッグ装置に関する。
【背景技術】
【０００２】
近年、この種の車両に搭載されるシートにおいては、着座した乗員を車体側方からの外力に起因する衝撃（例えば、車両の側面衝突時における衝撃等）から保護するサイドエアバッグ装置を備えたものが実用化されている。
【０００３】
一般的に、サイドエアバッグ装置は、乗物用シートのシートバックにおける車体外方側の側部に配設され、膨張して展開することで乗員を保護するエアバッグと、当該エアバッグに膨張用のガスを供給するインフレータと、を備えている。
そして、このサイドエアバッグ装置では、車両が車体側面から衝撃を受けた場合、当該衝撃に応じてインフレータから膨張用のガスが供給されることにより、エアバッグが膨張して展開することで、乗員を保護するようになっている。
【０００４】
例えば、特許文献１のサイドエアバッグ装置は、乗員の肩部や胸部を保護する上側展開部と、乗員の腰部を保護する下側展開部と、に区画されたエアバッグを有している。また、特許文献２のサイドエアバッグ装置は、乗員の肩部を保護する肩保護部と、乗員の肩部よりも下側の部位を保護する下保護部と、に区画されたエアバッグを有している。さらに、特許文献３のサイドエアバッグ装置は、エアバッグを乗員の肩部に対応した肩部チャンバと、乗員の腹部に対応した腹部チャンバ、乗員の腰部に対応した腰部チャンバの三つのチャンバで構成している。
【先行技術文献】
【特許文献】
【０００５】
【特許文献１】特開２０１２−２２４２３５号公報
【特許文献２】特開２０１１−２０５０２号公報
【特許文献３】特許第４７２０７１４号公報
【発明の概要】
【発明が解決しようとする課題】
【０００６】
ところで、車両が立ち木やポール等の柱状の静止物に車体側面から衝突した場合、当該衝突した部位が車体内側（車室側）に向けて局所的に変形するため、乗員に対する衝撃が大きくなる可能性がある。そのため、上記のような衝突形態の場合、乗員をより早期に保護するだけでなく、できるだけ局所的に変形した衝突部位から遠ざけることが有効である。特に、乗員の肩部は、他の部位と比べてドアやピラー等の車体との距離が短いため、乗員の肩部をいかに適切に保護するかが課題となっている。
【０００７】
しかしながら、上述した特許文献１〜３のサイドエアバッグ装置では、乗員の肩部まで保護するようになっているものの、上述の衝突した部位の局所的な変形から乗員の肩部を遠ざけるという発想がなく改善の余地があった。
【０００８】
そこで、本発明は上述した事情を鑑みてなされたもので、乗員に対する側方からの衝突の形態に応じて、乗物用シートが具備するサイドエアバッグ装置の展開を制御することにより、乗員の肩部への衝撃を緩和させ、より適切に乗員を保護することを可能にすることを目的とする。
【課題を解決するための手段】
【０００９】
本発明は、かかる目的を達成するもので、乗物に搭載されるシートにおけるシートバックの乗物外方側に向けた側部に配設され、前記シートバックの側方から外力が加わることに応じて、インフレータから供給される膨張用のガスにより膨張して展開するサイドエアバッグ装置において、
着座した乗員の胸部、腹部、腰部を保護する第一チャンバと、
前記第一チャンバの上方に配置され、前記シートバックの前後方向に区画して配設された複数の空間からなり、前記乗員の肩部を保護する第二チャンバとを備え、
前記第一チャンバと前記第二チャンバの各空間とがそれぞれ連通しており、
前記第二チャンバの前記複数の空間のうち、前記外力が加わる位置に対応する前記空間が他の空間よりも膨張することを特徴とする。
【００１０】
かかる発明によれば、着座した乗員の胸部、腹部、腰部を保護する第一チャンバの上方に、シートバックの前後方向に区画して配設された複数の空間からなる乗員の肩部を保護する第二チャンバを有しており、第一チャンバと第二チャンバの各空間とがそれぞれ連通している。そして、各空間のうち、シートバックの側方から外力（衝撃）が加わる位置に応じた空間が、それ以外の空間よりも膨張するようになっている。これにより、他の空間よりも膨張した空間によって、乗員の肩部をシートバックの前後に適宜移動させることができるため、当該衝突による局所的な変形から乗員の肩部を遠ざけ、乗員に対する衝撃を緩和させることができる。
かくして、乗員に対する側方からの衝突の形態に応じて、乗物用シートが具備するサイドエアバッグ装置の展開を制御することにより、乗員の肩部への衝撃を緩和し、より適切に乗員を保護することを可能にするサイドエアバッグ装置を実現できる。
【００１１】
また、実施形態において、各前記空間は、それぞれ乗物外方側に向けて開放されたベントホールを有しており、
各前記ベントホールは、対応する位置において前記外力が加わることにより閉塞されることを特徴とする。
【００１２】
このような構成によれば、前記衝撃が加わることによって閉塞されたベントホールに対応する空間が、その他の空間よりも膨張するため、乗員の肩部をシートバックの前後方向に確実に移動させることができる。これにより、前記衝突による局所的な変形から乗員の肩部を適切に遠ざけることができる。
【００１３】
また、実施形態において、各前記空間には、前記膨張用のガスが同時に供給されることを特徴とする。
【００１４】
このような構成によれば、第二チャンバの各空間には、膨張用のガスが同時に供給されるため、前記衝撃が局所的に加わるまでに均一に膨張させることができる。よって、この衝撃が局所的に加わった場合に即座に対応可能となっている。これにより、前記衝撃が加わることによって閉塞されたベントホールに対応する空間が、その他の空間よりも膨張することで、当該衝突による局所的な変形から乗員の肩部をより適切に遠ざけることができる。
【発明の効果】
【００１５】
本発明によれば、乗員に対する側方からの衝突の形態に応じて、乗物用シートが具備するサイドエアバッグ装置の展開を制御することにより、乗員の肩部への衝撃を緩和し、より適切に乗員を保護することができる。
【図面の簡単な説明】
【００１６】
【図１】本発明の実施形態に係るサイドエアバッグ装置を備えたシートを概略的に示す側面図である。
【図２】図１のシートを上方から見て示す平面図である。
【図３】図１のシートのサイドエアバッグ装置における動作の説明に供し、（ａ）は前方側の空間に外力が加わった様子を示す平面図、（ｂ）は乗員が後方へ移動させられる様子を示す平面図である。
【図４】図１のシートのサイドエアバッグ装置における動作の説明に供し、（ａ）は後方側の空間に外力が加わった様子を示す平面図、（ｂ）は乗員が前方へ移動させられる様子を示す平面図である。
【図５】図１のシートのサイドエアバッグ装置における中間部の空間に外力が加わった様子を示す平面図である。
【発明を実施するための形態】
【００１７】
以下、本発明に係る実施形態について図面を用いて詳細に説明する。なお、以下の実施形態に記載されている構成部品の寸法、材質、形状、その相対配置などは特に特定的な記載がない限り、この発明の範囲をそれのみに限定する趣旨ではなく、単なる説明例にすぎない。
【００１８】
図１は、本発明の実施形態に係るサイドエアバッグ装置４を備えたシート（乗物用シート１）を概略的に示す側面図であり、図２は、図１の乗物用シート１を上方から見て示す平面図である。
図１および図２に示すように、本実施形態の乗物用シート１は、図示省略する自動車等の車両に搭載されており、乗員Ｐが着座する座面を構成するシートクッション２と、その背もたれ部を構成するシートバック３と、を有している。このシートバック３には、着座した乗員Ｐを車両の側面衝突時などに車体側方から加えられる衝撃から保護するためのサイドエアバッグ装置４が備えられている。
【００１９】
かかるサイドエアバッグ装置４は、シートバック３の車体外方側に向けた側部に配設されており、折り畳まれた状態で格納されるエアバッグ５と、当該エアバッグ５を膨張させて展開させるための膨張用のガス（以下、これを膨張用ガスと称す）を供給するためのインフレータＦと、を備えている。なお、ここでは便宜上、エアバッグ５は展開した状態で図示するものとする。
【００２０】
具体的に、サイドエアバッグ装置４の備えるエアバッグ５は、着座した乗員Ｐの胸部、腹部、腰部を保護する第一チャンバ５ａと、第一チャンバ５ａの上方に配置され、乗員Ｐの肩部ＰＳを保護する第二チャンバ５ｂとからなる。この第二チャンバ５ｂは、シートバック３の前後方向に区画して配設された複数（ここでは、三つ）の空間５ｂａ，５ｂｂ，５ｂｃからなる。これら三つの空間５ｂａ，５ｂｂ，５ｂｃのうち、空間５ｂａは乗員Ｐの肩部ＰＳよりも前方に位置し、空間５ｂｂは乗員Ｐの肩部ＰＳと略同一に位置し、空間５ｂｃは乗員Ｐの肩部ＰＳよりも後方に位置するようになっている。そして、これら三つの空間５ｂａ，５ｂｂ，５ｂｃは、それぞれ連通孔５ｃａ，５ｃｂ，５ｃｃを介して下方の第一チャンバ５ａと連通している。
【００２１】
また、三つの空間５ｂａ，５ｂｂ，５ｂｃには、シートバック３における車体外方側に向けて開放されたベントホール６ａ，６ｂ，６ｃがそれぞれ一つずつ略中央に形成されている。これらは閉塞されない限り、インフレータＦから供給される膨張用ガスを放出することで、三つの空間５ｂａ，５ｂｂ，５ｂｃが膨張した状態を略均一な圧力分布で維持可能となっている。因みに、第一チャンバ５ａにも同様に、車体外方側に向けて開放されたベントホール６ｄが形成されており、インフレータＦから供給される膨張用ガスを放出することで、適切な圧力で乗員Ｐを保護することが可能となっている。
【００２２】
そして、第二チャンバ５ｂの三つの空間５ｂａ，５ｂｂ，５ｂｃのうち、車体側方から外力が加わる位置に応じた部位の空間（例えば、前方側の空間５ｂａ）におけるベントホール（この場合、ベントホール６ａ）が閉塞されることによって、他の空間（ここでは、中間部分の空間５ｂｂおよび後方の空間５ｂｃ）よりも膨張するようになっている。
【００２３】
なお、これら三つの空間５ｂａ，５ｂｂ，５ｂｃにおいて、それぞれの連通孔５ｃａ，５ｃｂ，５ｃｃは、各ベントホール６ａ，６ｂ，６ｃよりも大きな径となっている。これにより、第一チャンバ５ａから第二チャンバ５ｂの各空間５ｂａ，５ｂｂ，５ｂｃに対してはインフレータＦからの膨張用ガスを可及的速やかに供給し得ると共に、各ベントホール６ａ，６ｂ，６ｃからは、必要上十分な膨張用ガスを放出させることができる。
【００２４】
また、ここでは、各ベントホール６ａ，６ｂ，６ｃがそれぞれ三つの空間５ｂａ，５ｂｂ，５ｂｃにおける略中央に一つずつ形成されている場合について図示・説明しているが、本発明はこれに限ることはない。各ベントホール６ａ，６ｂ，６ｃは、後述する効果に基づいて、上述した外力による閉塞を妨げられない範囲で各々孔位置・孔径・孔数を適宜選択することが可能となっている。
すなわち、各ベントホール６ａ，６ｂ，６ｃは、それぞれ対応する空間５ｂａ，５ｂｂ，５ｂｃの前後方向における位置（換言すれば、前方側，中央部，後方側の位置）に応じて、それぞれ前方側，中央部，後方側に配置されていても良い。例えば、前方側の空間５ｂａにおいてはベントホール６ａを前方側の位置に配置し、中央部の空間５ｂｂにおいてはベントホール６ｂを中央部の位置に配置し、後方側の空間５ｂｃにおいてはベントホール６ｃを後方側に配置することが好ましい。これにより、これら三つの位置における外力の入力時（側面衝突によるドアトリム８の変形時など）に、対応する位置のベントホール６ａ，６ｂ，６ｃを迅速に閉塞することが可能となり、乗員Ｐへの衝撃を緩和することをより効果的に実現可能となる。
【００２５】
さらに、各ベントホール６ａ，６ｂ，６ｃの孔径も前後両端側の空間においては小さく、中央部側の空間においては大きくするようにしても良い。加えて、それぞれの孔数も一つに限らず、例えば、略中央部の孔径は他の前後両端側よりも孔径の小さいベントホールを複数設けるようにしても良い。また、空間５ｂａ，５ｂｂ，５ｂｃの位置によって、ベントホール６ａ，６ｂ，６ｃの孔数を変更しても良い。このようにすることで、外力の入力時（側面衝突によるドアトリム８の変形時など）に、それぞれの位置のベントホール６ａ，６ｂ，６ｃをより一層迅速に閉塞することが可能となり、乗員Ｐに対する衝撃からの保護性能をより向上させることができる。
【００２６】
ここで、車両が立ち木やポール等の柱状の静止物に車体側面から衝突した場合について、図３〜図５を用いて説明する。具体的には、例えば図３（ａ）に示すように、第二チャンバ５ｂの三つの空間５ｂａ，５ｂｂ，５ｂｃのうち、前方側の空間５ｂａに対応する部位が柱状の静止物７に衝突した場合、当該衝突に起因して車体側面（例えば、ドアトリム８）が車体内側（車室側）に向かって局所的に変形する。このとき、変形したドアトリム８が空間５ｂａのベントホール６ａを閉塞させることによって、当該空間５ｂａが他の空間５ｂｂ、５ｂｃよりも膨張することになる。
【００２７】
そして、図３（ｂ）に示すように、他の空間５ｂｂ、５ｂｃよりも膨張した空間５ｂａによって、乗員Ｐの肩部ＰＳが、シートバック３（車体）の後方側へ移動させられる。このため、衝突した部位に対応するドアトリム８が車体内側に向けて局所的に変形しても、乗員Ｐの肩部ＰＳを車体後方へ移動させることが可能となるので、当該乗員Ｐを衝撃からより早期に保護し得るようになっている。
【００２８】
また、図４（ａ）に示すように、第二チャンバ５ｂの三つの空間５ｂａ，５ｂｂ，５ｂｃのうち、後方側の空間５ｂｃに対応する部位が静止物７に衝突した場合、当該衝突に起因してドアトリム８が車体内側（車室側）に向かって局所的に変形する。このとき、変形したドアトリム８が空間５ｂｃのベントホール６ｃを閉塞させることによって、当該空間５ｂｃが他の空間５ｂａ，５ｂｂよりも膨張することになる。
【００２９】
そして、図４（ｂ）に示すように、他の空間５ｂａ，５ｂｂよりも膨張した空間５ｂｃによって、乗員Ｐの肩部ＰＳが、シートバック３（車体）の前方側へ移動させられる。このため、衝突した部位に対応するドアトリム８が車体内側に向けて局所的に変形しても、乗員Ｐの肩部ＰＳを車体前方へ移動させることが可能となるので、当該乗員Ｐを衝撃からより早期に保護し得るようになっている。
【００３０】
さらに、図５に示すように、第二チャンバ５ｂの三つの空間５ｂａ，５ｂｂ，５ｂｃのうち、中間部分の空間５ｂｂに対応する部位が静止物７に衝突した場合、当該衝突に起因してドアトリム８が車体内側（車室側）に向かって局所的に変形する。このとき、変形したドアトリム８が空間５ｂｂのベントホール６ｂを閉塞させることによって、当該空間５ｂｂが他の空間５ｂａ，５ｂｃよりも膨張することになる。
【００３１】
従って、他の空間５ｂａ，５ｂｃよりも膨張した空間５ｂｂにより、乗員Ｐの肩部ＰＳが車体内側へ移動させられる。このため、衝突した部位に対応するドアトリム８が車体内側に向けて局所的に変形しても、乗員Ｐの肩部ＰＳを車体内側へ移動させることが可能となるので、当該乗員Ｐを衝撃からより早期に保護し得るようになっている。
【００３２】
このとき、第二チャンバ５ｂの各空間５ｂａ，５ｂｂ，５ｂｃに対する膨張用ガスの供給は、図１に示すように、インフレータＦから第一チャンバ５ａを経由した後、連通孔５ｃａ，５ｃｂ，５ｃｃを介して各々に間接的に供給しても良いし、インフレータＦと各空間５ｂａ，５ｂｂ，５ｂｃとを、それぞれ図示省略するチューブなどの経路によって接続し、当該インフレータＦから各々に対して直接的に供給しても良い。要は、各空間５ｂａ，５ｂｂ，５ｂｃに対して膨張用ガスが同時に供給されていれば、当該膨張用ガスの供給経路は特に限定されるものではない。
なお、ここでは図示省略するが、乗物用シート１に装備されたサイドエアバッグ装置４は、上述した衝撃を検知する検知手段や、当該検知手段による衝撃の検知に基づいてエアバッグ５（第一および第二チャンバ５ａ，５ｂ）の膨張・展開を制御する制御手段を備えていることが望ましい。
【００３３】
以上、説明したように、本実施形態のサイドエアバッグ装置４によれば、着座した乗員Ｐの胸部、腹部、腰部を保護する第一チャンバ５ａの上方に、シートバック３の前後方向に区画して配設された複数の空間５ｂａ，５ｂｂ，５ｂｃからなる乗員Ｐの肩部ＰＳを保護する第二チャンバ５ｂを有しており、第一チャンバ５ａと第二チャンバ５ｂの各空間５ｂａ，５ｂｂ，５ｂｃとが、それぞれ連通孔５ｃａ，５ｃｂ，５ｃｃを介して連通している。そして、各空間５ｂａ，５ｂｂ，５ｂｃのうち、シートバック３の側方から外力（衝撃）が加わる位置に応じた空間５ｂａ（５ｂｂ，５ｂｃ）が、それ以外の空間５ｂｂ，５ｂｃ（５ｂａ）よりも膨張するようになっている。これにより、他の空間５ｂｂ，５ｂｃ（５ｂａ）よりも膨張した空間５ｂａ（５ｂｂ，５ｂｃ）によって、乗員Ｐの肩部ＰＳをシートバック３の前後に適宜移動させることができるため、当該衝突によるドアトリム８の局所的な変形から乗員Ｐの肩部ＰＳを遠ざけ、乗員Ｐに対する衝撃をより緩和させることができる。
かくして、本実施形態の乗物用シート１では、乗員Ｐに対する側方からの衝突の形態に応じて、当該乗物用シート１が具備するサイドエアバッグ装置４の展開を制御することにより、乗員Ｐの肩部ＰＳへの衝撃を緩和し、より適切に乗員Ｐを保護することができる。
【００３４】
このとき、衝撃が加わることによって閉塞されたベントホール６ａ（６ｂ，６ｃ）に対応する空間５ｂａ（５ｂｂ，５ｂｃ）が、その他の空間５ｂｂ，５ｂｃよりも膨張するため、乗員Ｐの肩部ＰＳをシートバック３の前後方向に確実に移動させることができる。これにより、上述した衝突によるドアトリム８の局所的な変形から乗員Ｐの肩部ＰＳを遠ざけることができる。
【００３５】
しかも、第二チャンバ５ｂの各空間５ｂａ，５ｂｂ，５ｂｃには、膨張用のガスが同時に供給されるため、上述した衝撃が加わる（当該衝撃によってドアトリム８が局所的に変形する）までに均一に膨張させることができる。よって、この衝撃によってドアトリム８が局所的に変形した場合に即座に対応可能となっている。これにより、上述した衝撃が加わることによって閉塞されたベントホール６ａ（６ｂ，６ｃ）に対応する空間５ｂａ（５ｂｂ，５ｂｃ）が、その他の空間５ｂｂ，５ｂｃ（５ｂａ）よりも膨張することで、当該衝突によるドアトリム８の局所的な変形から乗員Ｐの肩部ＰＳをより適切に遠ざけることができる。
【００３６】
なお、上述した実施形態においては、本発明のサイドエアバッグ装置を装備するシートとして、自動車などの車両に搭載される乗物用シート１に適用する場合について述べたが、本発明はこれに限らず、サイドエアバッグ装置４を装備するシートとしては、この他、鉄道や船舶、航空機などの乗物に搭載されるシートに広く適用することができる。
【００３７】
また、上述した実施形態においては、第二チャンバ５ｂが三つの空間５ｂａ，５ｂｂ，５ｂｃからなる場合について述べたが、本発明はこれに限らず、要は前後方向に複数に区画されていれば、第二チャンバ５ｂとしては、二つの空間であっても、四つの空間であっても良いことは言うまでもない。
【産業上の利用可能性】
【００３８】
本発明によれば、乗員に対する側方からの衝突の形態に応じて、乗物用シートが具備するサイドエアバッグ装置の展開を制御することにより、乗員を衝撃から的確に回避させ、より適切に保護することができるので、自動車や鉄道などの車両や船舶、航空機などの乗物に搭載されるシートに装備されるサイドエアバッグ装置への利用に適している。
【符号の説明】
【００３９】
１  乗物用シート（シート）
２  シートクッション
３  シートバック
４  サイドエアバッグ装置
５  エアバッグ
５ａ  第一チャンバ
５ｂ  第二チャンバ
５ｂａ，５ｂｂ，５ｂｃ  空間
５ｃａ，５ｃｂ，５ｃｃ  連通孔
６ａ，６ｂ，６ｃ  ベントホール
７  静止物
８  ドアトリム
Ｆ  インフレータ
Ｐ  乗員
ＰＳ  肩部
【図１】
2015112941.tif 000003
【図２】
2015112941.tif 000004
【図３】
2015112941.tif 000005
【図４】
2015112941.tif 000006
【図５】
2015112941.tif 000007